(57)【要約】【課題】  操作性が高められた撮影装置を提供する。【解決手段】  通信したい機器をあらかじめ記録メディア１４１上に登録しておき、赤外線通信部１５０で検索された外部機器があらかじめ登録されている機器である場合、その外部機器を異なる表示態様で画像表示装置１０６に表示するとともにその外部機器との通信を通信制御部１６０で開始する。【選択図】  図２
2006345267.tif 000002
【特許請求の範囲】
【請求項１】
撮影操作に応じて画像データを生成して記録する撮影機能と周囲に存在する外部機器との間で近距離無線通信を行なう近距離通信機能とを備えた撮影装置において、
通信相手としての機器を登録しておく機器登録手段と、
通信可能な外部機器を検索する機器検索手段と、
前記機器検索手段により検索された通信可能な外部機器を表示する機器表示手段とを備え、
前記機器表示手段は、前記機器検索手段により検索された通信可能な外部機器が、前記機器登録手段によりあらかじめ登録されているか否かに応じて、該通信可能な外部機器を異なる表示態様で表示するものであることを特徴とする撮影装置。
【請求項２】
前記機器検索手段により検索された通信可能な外部機器が前記機器登録手段によりあらかじめ登録されている機器であったことを受けて該外部機器との通信を開始させる通信制御手段を備えたことを特徴とする請求項１記載の撮影装置。
【請求項３】
前記機器表示手段により表示された通信可能な外部機器が、前記機器登録手段によりあらかじめ登録されている機器とは異なる機器であったときに該機器との通信をマニュアルで開始させる通信開始指示手段を備え、
前記機器登録手段は、前記通信開始指示手段により通信の開始が指示された相手の外部機器を登録するものであることを特徴とする請求項１又は２記載の撮影装置。
【請求項４】
可搬型の記憶媒体が着脱自在に装着される媒体装着手段を備え、
前記機器登録手段は、通信相手としての機器を、前記媒体装着手段に装着された記憶媒体上に登録するものであることを特徴とする請求項１記載の撮影装置。
【請求項５】
前記近距離通信機能が、赤外線を用いて通信を行なう赤外線通信機能であることを特徴とする請求項１記載の撮影装置。
【発明の詳細な説明】
【技術分野】
【０００１】
本発明は、撮影操作に応じて画像データを生成して記録する撮影機能と周囲に存在する外部機器との間で近距離無線通信を行なう近距離通信機能とを備えた撮影装置に関する。
【背景技術】
【０００２】
ＣＣＤ（Ｃｈａｒｇｅ  Ｃｏｕｐｌｅｄ  Ｄｅｖｉｃｅ）タイプの固体撮像素子やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）タイプの固体撮像素子の発達に伴い、それまでの銀塩写真フィルム上に撮影を行なうタイプのカメラに代わり、固体撮像素子上に被写体像を結像して画像信号を得るいわゆるデジタルカメラが急速に普及してきている。また、近年では、例えば携帯電話やＰＤＡ（Ｐｅｒｓｏｎａｌ  Ｄｉｇｉｔａｌ  Ａｓｓｉｓｔａｎｔ）といった携帯型機器の発達もあり、それらの携帯型機器にデジタルカメラの機能が組み込まれたカメラ付情報端末も普及してきている。さらに、近年では、プリンタ等の外部機器との間で近距離無線通信を行なうための赤外線通信機能を備えたデジタルカメラやカメラ付情報端末も普及している。例えば、特許文献１には、カメラ付情報端末の１つである携帯電話の画面に、近距離無線通信用の接続機器を特定するための形状や名称に関する識別情報を表示し、表示された識別情報の中から所望の接続機器を指定すると、指定された接続機器と携帯電話との間で通信を確立する技術が提案されている。この技術によれば、通信圏内に複数存在する接続機器の中から所望の接続機器を選択して通信することができる。
【特許文献１】特開２００１−１４４７６７号公報
【発明の開示】
【発明が解決しようとする課題】
【０００３】
上述した特許文献１に提案された技術では、カメラ付情報端末である携帯電話の画面に、通信圏内に複数存在する接続可能な機器を表示することができる。しかし、所望の接続機器との間で通信を確立するためには、表示された複数の接続可能な機器の中から所望の接続機器を十字キー等で選択する操作が必要である。このため、操作に手間がかかるという問題がある。
【０００４】
本発明は、上記事情に鑑み、操作性が高められた撮影装置を提供することを目的とする。
【課題を解決するための手段】
【０００５】
上記目的を達成する本発明の撮影装置は、撮影操作に応じて画像データを生成して記録する撮影機能と周囲に存在する外部機器との間で近距離無線通信を行なう近距離通信機能とを備えた撮影装置において、
通信相手としての機器を登録しておく機器登録手段と、
通信可能な外部機器を検索する機器検索手段と、
上記機器検索手段により検索された通信可能な外部機器を表示する機器表示手段とを備え、
上記機器表示手段は、上記機器検索手段により検索された通信可能な外部機器が、上記機器登録手段によりあらかじめ登録されているか否かに応じて、その通信可能な外部機器を異なる表示態様で表示するものであることを特徴とする。
【０００６】
本発明の撮影装置は、通信したい機器をあらかじめ登録しておき、検索された外部機器があらかじめ登録されている機器である場合、その外部機器を異なる表示態様で表示するものである。このため、特許文献１に提案された、携帯電話の画面に表示された複数の接続可能な機器の中から通信したい機器を十字キー等で選択する操作は不要である。従って、操作性が高まる。
【０００７】
ここで、上記機器検索手段により検索された通信可能な外部機器が上記機器登録手段によりあらかじめ登録されている機器であったことを受けてその外部機器との通信を開始させる通信制御手段を備えたものであることが好ましい。
【０００８】
このように、あらかじめ登録されている機器であったことを受けて外部機器との通信を開始させると、外部機器との間で通信を即座に開始することができる。従って、操作性がさらに高まる。
【０００９】
また、上記機器表示手段により表示された通信可能な外部機器が上記機器登録手段によりあらかじめ登録されている機器とは異なる機器であったときにその機器との通信をマニュアルで開始させる通信開始指示手段を備え、
上記機器登録手段は、上記通信開始指示手段により通信の開始が指示された相手の外部機器を登録するものであることも好ましい態様である。
【００１０】
このようにすると、あらかじめ登録されていない通信可能な外部機器を新たに登録することができる。
【００１１】
さらに、可搬型の記憶媒体が着脱自在に装着される媒体装着手段を備え、
上記機器登録手段は、通信相手としての機器を、上記媒体装着手段に装着された記憶媒体上に登録するものであってもよい。
【００１２】
また、上記近距離通信機能が、赤外線を用いて通信を行なう赤外線通信機能であってもよい。
【発明の効果】
【００１３】
本発明によれば、操作性が高められた撮影装置を提供することができる。
【発明を実施するための最良の形態】
【００１４】
以下、本発明の実施形態について説明する。
【００１５】
図１は、本発明の撮影装置の一実施形態であるデジタルカメラの外観図である。図１（ａ）は正面図、（ｂ）は上面図、（ｃ）は側面図、（ｄ）は背面図である。
【００１６】
図１（ａ）〜図１（ｄ）に示すデジタルカメラ１００は、撮影操作に応じて画像データを生成して記録する撮影機能と、周囲に存在する外部機器との間でＩｒＤＡ（Ｉｎｆｒａｒｅｄ  Ｄａｔａ  Ａｓｓｏｃｉａｔｉｏｎ）に準拠した赤外線通信機能とを備えた撮像装置である。尚、外部機器としては、プリンタ、デジタルカメラ、携帯電話、ＰＤＡ等がある。
【００１７】
このデジタルカメラ１００で自在に撮影を行なわせるため、図１（ｄ）に示すようにデジタルカメラ１００の背面にはこのデジタルカメラ１００を作動させるための電源投入用のパワースイッチ１０２、撮影モードと再生モードとを切替自在にする撮影モード・再生モード切替レバー１０３、モードダイヤル１０７、ポップアップスイッチ１０９ａなどが設けられている。それらスイッチ類の中のモードダイヤル１０７の中には、自動撮影モード（ＡＵＴＯ）用のスイッチ１０７１（図２参照）、静止画撮影モード用のスイッチ１０７２、手動撮影モード（Ｍ）用のスイッチ１０７３、シーンポジションモード（ＳＰ）用のスイッチ１０７４、動画撮影モード用のスイッチ１０７５、および本実施形態の特徴である外部機器接続モード用のスイッチ１０７６があり、撮影・再生モード切替レバー１０３により撮影側スイッチ１０３ａが選択され、さらにモードダイヤル１０７によっていずれかのモードが設定され、このデジタルカメラ１００の上方にあるレリーズ釦１０８が操作されると撮影の開始指示がカメラ内部へと伝えられ、それらのモードに応じた撮影処理がデジタルカメラ１００内部で行なわれる。モードダイヤル１０７によって自動撮影モード（ＡＵＴＯ）が選択されると、自動的に調整された撮影条件下で撮影が行なわれ、手動撮影モード（Ｍ）が選択されると、撮影条件のうちの少なくとも１つを手動設定し手動設定された撮影条件下で撮影が行なわれる。また、静止画撮影モードが選択されると、静止画像撮影に適した撮影条件下で、また動画撮影モードが選択されると、動画像撮影に適した撮影条件下で、さらにシーンポジションモード（ＳＰ）が選択されると、撮影シーンに応じた撮影条件下で撮影が行なわれる。さらに、外部機器接続モード用が選択されると、詳細は後述するが、このデジタルカメラ１００との間で通信可能な外部機器の検索が行なわれる。
【００１８】
また、夜間撮影を行なうときにはポップアップスイッチ１０９ａを操作すれば閃光発光部１０９がポップアップされ、撮影に同期して被写体に向けて閃光が発光される。尚、この閃光発光部１０９がポップアップされなければフラッシュオフになる。
【００１９】
また、撮影・再生切替レバー１０３が撮影側に切り替えられたときにスルー画像を表示するとともに、各スイッチの操作状況などを撮影者に示すための画像表示装置（ＬＣＤ）１０６が設けられている。この画像表示装置１０６をファインダとして使用しフレーミングを行なうことも、図１（ａ）に示すように直視型のファインダ１００１を使用してフレーミングを行なうこともできる。また、この画像表示装置１０６は、詳細は後述するが、本発明にいう機器表示手段の役割を担うものでもある。
【００２０】
その画像表示装置１０６の右斜め上方には操作キーとして十字キー１０４が設けられており、画像表示装置１０６上にメニュー画面などが表示された場合には、その十字キー１０４のＵＰキー１０４ａ、ＤＯＷＮキー１０４ｂ、右キー１０４ｃ、左キー１０４ｄの４つのキーを操作することによってメニューの選択を行なうことができる。また、その十字キー１０４の左横には、そのメニューを画像表示装置１０６上に表示させるためのメニュー釦１０５ａと、そのメニュー釦１０５ａの操作によりメニューが表示され、十字キー１０４のいずれかのキーにより画像表示装置１０６に表示されたメニュー画面の中の多数の選択項目のうちいずれかの項目が選択されたときに、その選択をキャンセルするために操作されるバック釦１０５ｂが備えられている。このメニュー釦１０５ａとバック釦１０５ｂとは、画像が表示されたときにはＴＥＬＥ／ＷＩＤＥ用のズームスイッチとして働く。
【００２１】
また、撮影・再生切替レバー１０３が再生モード側スイッチ１０３ｂに切り替えられると、記録メディア１４１に記録されている画像データのいずれかが読み出されてその画像データに基づく画像が画像表示装置１０６に表示される。
【００２２】
さらに、図１（ｃ）に示すように、デジタルカメラ１００の側面には、このデジタルカメラ１００により撮影された被写体の画像データをテレビやプロジェクタ等に出力するためのケーブルが接続される映像出力端子１１１と、このデジタルカメラ１００により撮影された被写体の画像データをＵＳＢ接続部が備えられたパーソナルコンピュータ等に送信するためのＵＳＢケーブルが接続されるＵＳＢ接続部１１２と、ＡＣアダプタからの直流電圧が入力される直流電圧入力端子１１３とが備えられている。また、デジタルカメラ１００の側面には、後述する外部機器との通信をマニュアルで開始させる通信開始指示釦１１４（本発明にいう通信開始指示手段の一例に相当）が備えられている。さらに、デジタルカメラ１００の側面には、記録メディア１４１が着脱自在に装着される媒体装着部１１５が備えられている。
【００２３】
また、図１（ａ）に示すように、デジタルカメラ１００の正面上部には、赤外線を用いて通信可能な外部機器を検索する赤外線通信部１５０が備えられている。この赤外線通信部１５０が、本発明にいう機器検索手段の一例に相当する。
【００２４】
図２は、図１に示すデジタルカメラの内部構成を示す図である。
【００２５】
このデジタルカメラ１００には、撮影光学系を構成するズームレンズ１０１，アイリス１２１，フォーカスレンズ１２２と、それらズームレンズ１０１，アイリス１２１，フォーカスレンズ１２２を駆動することによりズーミング，フォーカシング，露光量調整を行なうためのモータドライバ１２３，１２４，１２５が備えられている。
【００２６】
また、デジタルカメラ１００には、ＣＣＤ１２６と、タイミングジェネレータ１２７と、ＭＰＵ（Ｍｉｃｒｏ  Ｐｒｏｃｅｓｓｏｒ  Ｕｎｉｔ）１２８と、ＣＤＳＡＭＰ１２９とが備えられている。
【００２７】
ＣＣＤ１２６は、ズームレンズ１０１，アイリス１２１，フォーカスレンズ１２２を経由してきた被写体光を捉える固体撮像素子である。このＣＣＤ１２６には、入射された被写体光を電気信号である画像信号に変換するフォトダイオード等の光電変換素子が多数個備えられている。
【００２８】
タイミングジェネレータ１２７は、ＭＰＵ１２８からの指示により所定のタイミングでＣＣＤ１２６を駆動する。これにより、ＣＣＤ１２６に入射されている被写体光が所定のフレームレートで光電変換され、そのＣＣＤ１２６からアナログ画像信号として出力される。
【００２９】
ＭＰＵ１２８は、このデジタルカメラ１００全体の制御を行なう。具体的には、ＭＰＵ１２８にはＲＯＭ１２８ａが内蔵されており、その内蔵されたＲＯＭ１２８ａのプログラムの手順にしたがってデジタルカメラ１００全体の動作が制御される。また、このＭＰＵ１２８は、本発明にいう機器登録手段の役割を担うものでもあり、このＭＰＵ１２８は、記録メディア１４１上およびＥ2ＰＲＯＭ１７０上に、通信相手としての機器を登録する。尚、ここでは、記録メディア１４１上およびＥ2ＰＲＯＭ１７０上に通信相手としての機器を登録する例で説明するが、記録メディア１４１上又はＥ2ＰＲＯＭ１７０上のいずれか一方に通信相手としての機器を登録してもよい。
【００３０】
さらに、デジタルカメラ１００には、ＣＣＤ１２６から出力されたアナログ画像信号の雑音を低減する処理等を行なうＣＤＳＡＭＰ１２９と、その処理等が施されたアナログ画像信号をデジタル画像信号にアナログ／デジタル変換するＡ／Ｄ変換部１３０と、Ａ／Ｄ変換部１３０でデジタル画像信号に変換されたＲＧＢからなる画像データをデータバスを介して、メモリであるＳＤＲＡＭ１３８に転送する画像入力コントローラ１３１とが備えられている。
【００３１】
また、デジタルカメラ１００には、ＳＤＲＡＭ１３８の画像データを読み出させ、ＹＣ信号への変換を行なう画像処理プロセスを実行する画像信号処理部１３２と、画像処理プロセスが終了した時点でＪＰＥＧプロセスを実行して画像データの圧縮を行なう圧縮処理部１３３と、ＧＰＳ（Ｇｌｏｂａｌ  Ｐｏｓｉｔｉｏｎｉｎｇ  Ｓｙｓｔｅｍ）衛星からのＧＰＳ信号を受信して得られたＧＰＳ位置（現在位置）データを撮影データに変換するＧＰＳ位置変換部１３４と、これら画像データや撮影データをビデオ信号に変換して画像表示装置１０６に導くためのＶｉｄｅｏ／ＬＣＤエンコーダ１３５とが備えられている。
【００３２】
さらに、デジタルカメラ１００には、画像のピント情報を検出するＡＦ検出部１３６と、画像の輝度情報と白色バランス情報を検出するＡＥ＆ＡＷＢ検出部１３７と、作業領域用のメモリとしても使用されるＳＤＲＡＭ１３８と、Ａ領域,Ｂ領域を有する表示用のバッファとしてのＶＲＡＭ１３９と、画像データを記録メディア１４１に記憶するための制御を行なうメディアコントローラ１４０と、このデジタルカメラ１００と外部のパーソナルコンピュータ等との間で画像データのやり取りを行なうＵＳＢＩ／Ｆ部１４２とが備えられている。また、記録メディア１４１上には、通信相手としての機器が登録される。尚、通信相手の機器としては、プリンタ、デジタルカメラ、携帯電話、ＰＤＡ等がある。
【００３３】
また、デジタルカメラ１００には、通信制御部１６０が備えられている。この通信制御部１７０は、赤外線通信部１５０により検索された通信可能な外部機器が、機器登録手段としての役割を担うＭＰＵ１２８によりあらかじめ登録されている機器であったことを受けて、その外部機器との通信を赤外線通信部１５０に開始させる。
【００３４】
ここで、赤外線通信部１５０により検索された通信可能な外部機器は、画像表示装置１０６に表示される。この画像表示装置１０６は、赤外線通信部１５０により検索された通信可能な外部機器が、ＭＰＵ１２８により記録メディア１４１上にあらかじめ登録されているか否かに応じて、通信可能な外部機器を、後述するようにして異なる表示態様で表示する。
【００３５】
さらに、図２に示すデジタルカメラ１００には、図１にも示す通信開始指示釦１１４が備えられている。この通信開始指示釦１１４は、画像表示装置１０６により表示された通信可能な外部機器が、ＭＰＵ１２８によりあらかじめ登録されている機器とは異なる機器であったときにその機器との通信をマニュアルで開始させる操作子である。
【００３６】
さらに、ＭＰＵ１２８は、通信開始指示釦１１４により通信の開始が指示された相手の外部機器を記録メディア１４１に登録する。
【００３７】
本実施形態のデジタルカメラ１００は、通信したい機器をあらかじめ記録メディア１４１上に登録しておき、赤外線通信部１５０で検索された外部機器があらかじめ登録されている機器である場合、その外部機器を異なる表示態様で画像表示装置１０６に表示するものである。このため、特許文献１に提案された、画面に表示された複数の接続可能な機器の中から通信したい機器を十字キー等で選択する操作は不要である。従って、操作性が高まる。また、通信したい外部機器を一覧の中から即座に認識することもできる。
【００３８】
さらに、このデジタルカメラ１００には、赤外線通信部１５０により検索された通信可能な外部機器がＭＰＵ１２８により記録メディア１４１上にあらかじめ登録されている機器であったことを受けて、その外部機器との通信を開始させる通信制御部１６０が備えられている。このため、登録されている外部機器との間で通信を即座に開始することができる。
【００３９】
また、このデジタルカメラ１００には、画像表示装置１０６により表示された通信可能な外部機器がＭＰＵ１２８により記録メディア１４１上にあらかじめ登録されている機器とは異なる機器であったときに、その機器との通信をマニュアルで開始させる通信開始指示釦１１４が備えられている。このため、あらかじめ登録されていない通信可能な外部機器を新たに登録することができる。
【００４０】
次に、このデジタルカメラ１００の概略動作について説明する。このデジタルカメラ１００の動作は統括的にＭＰＵ１２８により制御される。このＭＰＵ１２８内にはＲＯＭ１２８ａが内蔵されており、その内蔵されたＲＯＭ１２８ａ内にプログラムが格納されている。このプログラムの手順にしたがってデジタルカメラ１００全体の動作がＭＰＵ１２８により制御される。また、ＳＤＲＡＭ１３８にはＲＯＭ１２８ａに記述されているプログラムの手順にしたがってＭＰＵ１２８がこのデジタルカメラ１００全体を制御しているときに、処理中の画像データが一時的に格納されたりする。
【００４１】
また、表示用のバッファとしてのＶＲＡＭ１３９にはスルー画像を表わす画像データがＡ領域、Ｂ領域に順次記憶され、それらの領域にある画像データが交互にＶｉｄｅｏ／ＬＣＤエンコーダ１３５に供給され画像データに基づく画像が順次切り換えられてスルー画像として画像表示装置１０６上に表示される。
【００４２】
先ず、モードダイヤル１０７（図１参照）が自動撮影モード（ＡＵＴＯ）に切り替えられて撮影が行なわれた場合の画像データの流れを、図２を参照して説明する。
【００４３】
モードダイヤル１０７が自動撮影モード（ＡＵＴＯ）に切り替えられると、ＭＰＵ１２８は撮影光学系を経由した被写体光をＣＣＤ１２６で捉え、そのＣＣＤ１２６で生成される画像データを所定の間隔ごとにＣＤＳＡＭＰ１２９側へ出力させ、Ａ／Ｄ変換部１３０，画像入力コントローラ１３１，画像信号処理部１３２で表示可能な画像データに変換してスルー画像を画像表示装置１０６の画面上に表示させる。そのスルー画像に基づいて任意にフレーミングが行なわれ、ＡＦ検出部１３６が絶えずフォーカスレンズ１２２を前後させ合焦点検出を行なってフレーミングの中央に焦点のあった画像をＣＣＤ１２６に結像させる。このときにはＡＥ＆ＡＷＢ検出部１３７によって被写界輝度が検出され、その検出結果に基づいてモータドライバ１２４により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１２７からのタイミング信号に応じて所定の間隔ごとにＣＤＳＡＭＰ１２９へ出力させ、後段でスルー画像を得ている。撮影者はこのスルー画像を見ながらフレーミングを行ない、シャッタチャンスにレリーズ操作を行なう。
【００４４】
レリーズ操作が行なわれると、ＭＰＵ１２８は、ＣＣＤ１２６にレリーズ操作時の画像を結像させるため、タイミングジェネレータ１２７からタイミング信号を供給させる。このタイミング信号はＣＣＤ１２６に露光開始および露光終了を告げるものでありいわゆるシャッタスピードに相当する。ＭＰＵ１２８はこの露光終了時にＣＣＤ１２６から画像データ（ＲＧＢの光の３原色Ｒ，Ｇ、Ｂからなる画像データ）を出力させ、後段のＣＤＳＡＭＰ１２９に供給させる。さらに、ＣＤＳＡＭＰ１２９でそのＣＣＤ１２６から出力された画像データの雑音が低減され、その雑音が低減された画像データがＡ／Ｄ変換部１３０でデジタル信号に変換される。このＡ／Ｄ変換部１３０でデジタル信号に変換されたＲＧＢからなる画像データは、後段の画像入力コントローラ１３１によりデータバスを介してＳＤＲＡＭ１３８に供給され、このＳＤＲＡＭ１３８にＣＣＤ１２６のすべての画素の画像データが記憶される。すべての画素データに対応する画像データがＳＤＲＡＭ１３８に記憶されると、ＭＰＵ１２８が画像信号処理部１３２の画像処理プロセスを起動させ、その画像処理プロセスによってＳＤＲＡＭ１３８の画像データを読み出させ、ＹＣ信号への変換を行なわせる。さらに、この画像信号処理部１３２の画像処理プロセスが終了したことをＭＰＵ１２８が検知すると、ＭＰＵ１２８は圧縮処理部１３３のＪＰＥＧプロセスを起動させ、ＪＰＥＧプロセスによって画像データの圧縮を行なわせる。この圧縮処理部１３３での圧縮が完了したことをＭＰＵ１２８が検知すると、ＭＰＵ１２８は次に記録処理プロセスを起動させ、ＪＰＥＧ圧縮された画像データを、必要に応じてＧＰＳ位置変換部１３４で変換されたＧＰＳ位置を表わす撮影データとともに、メディアコントローラ１４０を介して記録メディア１４１に記録させる。以上が自動撮影モードのときの撮影データの流れである。
【００４５】
以降、モードダイヤル１０７が手動撮影モードに切り替えられたときの画像データの処理について説明する。
【００４６】
モードダイヤル１０７が手動撮影モード（Ｍ）に切り替えられると、撮影条件が手動により設定されて撮影が行なわれる。このデジタルカメラ１００においては撮影条件の一つであるフォーカスポイントも自在に設定することができるが、ここでは撮影条件の１つとして露出条件を挙げて以降説明する。
【００４７】
モードダイヤル１０７が手動撮影モード（Ｍ）に切り替えられると、スルー画像とともに露出補正値、シャープネス、フラッシュ光量などの補正を行なうための表示画面が画像表示装置１０６に表示される。この表示画面の中の選択項目、例えば露出値の切り替えを十字キー１０４により行なうことができる。
【００４８】
このように手動撮影モードのときには、撮影者が任意に撮影条件の設定を行なえるようになっており、これらの撮影条件下で撮影が行なわれる。
【００４９】
このような手動撮影モードで撮影が行なわれるときには、その設定された撮影条件によって露光アンダーであろうが、露光オーバーであろうがそのまま撮影が行なわれる。例えば、この露光アンダー、露光オーバーは、ＡＥ＆ＡＷＢ検出部１３７の検出結果に基づきＭＰＵ１２８が判定する。
【００５０】
次に、デジタルカメラ１００に着脱自在に装着される記録メディア１４１に、通信相手としての機器を登録する方法について図３を参照して説明する。
【００５１】
図３は、図１に示すデジタルカメラに装着された記録メディアに、通信相手としての機器を登録する方法の一例を説明するための図である。
【００５２】
図３には、デジタルカメラ１００がＵＳＢケーブル３００でパーソナルコンピュータ２に接続される様子が示されている。デジタルカメラ１００には、ＵＳＢケーブル３００のＵＳＢコネクタ３０１が接続されるＵＳＢ接続部１１２が備えられている。一方、パーソナルコンピュータ２には、ＵＳＢケーブル３００のＵＳＢコネクタ３０２が接続されるＵＳＢ接続部２１４が備えられている。また、パーソナルコンピュータ２には、本体部２１０と、表示画面２２０ａを備えた画像表示装置２２０と、キーボード２３０と、マウス２４０とが備えられている。本体部２１０には、ＣＰＵ（中央処理装置）、主メモリ（ランダムアクセスメモリ）、ハードディスク、ＵＳＢ通信装置等が内蔵されている。ハードディスクには、通信相手としての機器を表わすデータが格納されている。また、この本体部２１０は、外観上、ＣＤ−ＲＯＭ等が装填されるＣＤ−ＲＯＭ装填口２１１と、フレキシブルディスクが装填されるフレキシブルディスク装填口２１２を有しており、それらの内部には、それらの装填口２１１，２１２から装填されたＣＤ−ＲＯＭやフレキシブルディスクをドライブしてアクセスするＣＤ−ＲＯＭドライブやフレキシブルディスクドライブが内蔵されている。さらに、この本体部２１０は、電源スイッチ２１３を有する。
【００５３】
デジタルカメラ１００は、ＵＳＢ接続部１１２へのパーソナルコンピュータ２の接続を受けて、パーソナルコンピュータ２から通信相手としての機器を表わすデータの取り込みを行ない、最終的に記録メディア１４１に登録する。
【００５４】
図４は、図１に示すデジタルカメラを構成する画像表示装置における表示態様の一例を示す図である。
【００５５】
図４に示すデジタルカメラ１００を構成する画像表示装置１０６には、接続可能機器一覧が表示されている。この接続可能機器一覧は、通信相手の機器として登録された４種類のプリンタを表わす文字ＬＰ−１，ＬＰ−２，ＬＰ−３，ＬＰ−４およびプリンタアイコンから構成されている。ここでは、登録された４種類のプリンタのうちの文字ＬＰ−１で表わされるプリンタが通信可能である。このため、画像表示装置１０６の、文字ＬＰ−１およびそのプリンタアイコンを含む表示領域１０６ａが点滅表示されている。このようにすることにより、通信したい機器を一覧の中から即座に認識することができる。
【００５６】
図５は、図１に示すデジタルカメラの、接続可能機器を検索してから通信を自動的に開始するまでの一連の処理ルーチンのフローチャートである。
【００５７】
先ず、ステップＳ１において、外部機器接続モードか否かが判定される。外部機器接続モードでないと判定された場合は、他のカメラ動作モードへ移行する。一方、外部機器接続モードであると判定された場合はステップＳ２に進む。ステップＳ２では、接続可能な機器の検索を開始する。
【００５８】
さらにステップＳ３において、接続可能な機器が見つかったか否かが判定される。接続可能な機器が見つからないと判定された場合はこのフローの処理を終了する。一方、接続可能な機器が見つかったと判定された場合はステップＳ４に進む。ステップＳ４では、詳細は後述する検索機器を表示する処理を実行してステップＳ５に進む。
【００５９】
ステップＳ５では、接続可能な機器の検索が全て終了したか否かが判定される。接続可能な機器の検索が全て終了していないと判定された場合は、ステップＳ３に戻る。一方、接続可能な機器の検索が全て終了したと判定された場合は、ステップＳ６に進む。ステップＳ６では、登録機器と検索機器の比較を行なう。
【００６０】
さらに、ステップＳ７において、登録機器が見つかったか否かが判定される。登録機器が見つからないと判定された場合はこのフローの処理を終了する。一方、登録機器が見つかったと判定された場合はステップＳ８に進む。
【００６１】
ステップＳ８では、その登録機器の表示を点滅させる。さらに、ステップＳ９において、その登録機器との通信を開始して、このフローの処理を終了する。
【００６２】
図６は、図５に示すステップＳ４において実行される検索機器表示の処理ルーチンのフローチャートである。
【００６３】
先ず、ステップＳ１１において、見つかった機器は印字装置か否かが判定される。見つかった機器が印字装置であると判定された場合はステップＳ１２に進む。ステップＳ１２では、プリンタアイコンを表示して、このフローの処理を終了する。一方、見つかった機器が印字装置ではないと判定された場合はステップＳ１３に進む。
【００６４】
ステップＳ１３では、見つかった機器がデジタルカメラか否かが判定される。デジタルカメラであると判定された場合はステップＳ１４に進む。ステップＳ１４では、カメラアイコンを表示して、このフローの処理を終了する。一方、見つかった機器がデジタルカメラではないと判定された場合はステップＳ１５に進む。
【００６５】
ステップＳ１５では、見つかった機器がＰＤＡか否かが判定される。ＰＤＡであると判定された場合はステップＳ１６に進み、ＰＤＡアイコンを表示してこのフローの処理を終了する。一方、見つかった機器がＰＤＡではないと判定された場合はステップＳ１７に進む。
【００６６】
ステップＳ１７では、携帯電話か否かが判定される。携帯電話であると判定された場合はステップＳ１８に進み、携帯電話アイコンを表示してこのフローの処理を終了する。一方、携帯電話ではないと判定された場合はステップＳ１９に進む。
【００６７】
ステップＳ１９では、ＰＣ（パーソナルコンピュータ）か否かが判定される。ＰＣであると判定された場合はステップＳ２０に進み、ＰＣアイコンを表示してこのフローの処理を終了する。一方、ＰＣではないと判定された場合はステップＳ２１に進む。
【００６８】
ステップＳ２１では、不明な装置か否かが判定される。不明な装置であると判定された場合はステップＳ２２に進み、“？”アイコンを表示してこのフローの処理を終了する。一方、不明な装置ではないと判定された場合はステップＳ２３に進む。
【００６９】
ステップＳ２３では、全ての機器を確認したか否かが判定される。全ての機器を確認していないと判定された場合はステップＳ１１に戻る。一方、全ての機器を確認したと判定された場合は、このフローの処理を終了する。
【００７０】
図７は、図１に示すデジタルカメラの、接続可能機器を検索してから通信を通信開始指示釦で開始するまでの一連の処理ルーチンのフローチャートである。
【００７１】
先ず、ステップＳ３１において、接続可能な機器の検索を開始してステップＳ３２に進む。ステップＳ３２では、接続可能な機器が見つかったか否かが判定される。接続可能な機器が見つからないと判定された場合はこのフローの処理を終了する。一方、接続可能な機器が見つかったと判定された場合はステップＳ３３に進む。
【００７２】
ステップＳ３３では、接続機器の情報を取得してステップＳ３４に進む。ステップＳ３４では、登録リストを読み出す。
【００７３】
次に、ステップＳ３５において、検出された機器が登録リストにあるか否かが判定される。検出された機器が登録リストにないと判定された場合は、後述するステップＳ３７に進む。一方、検出された機器が登録リストにあると判定された場合は、ステップＳ３６に進む。ステップＳ３６では、リストに登録されている機器を反転表示してステップＳ３７に進む。
【００７４】
ステップＳ３７では、全ての検出機器を確認したか否かが判定される。全ての検出機器を確認していないと判定された場合はステップＳ３４に戻る。一方、全ての検出機器を確認したと判定された場合はステップＳ３８に進む。
【００７５】
ステップＳ３８では、通信開始指示釦が押されたか否かが判定される。通信開始指示釦が押されたと判定された場合は、ステップＳ３９に進む。ステップＳ３９では、通信を開始して、このフローの処理を終了する。一方、通信開始指示釦が押されていないと判定された場合は、ステップＳ４０に進む。ステップＳ４０では、通信キャンセル指示釦（バック釦１０５ｂ）が押されたか否かが判定される。通信キャンセル指示釦が押されていないと判定された場合はステップＳ３８に戻る。一方、通信キャンセル指示釦が押されたと判定された場合は、このフローの処理を終了する。
【００７６】
図８は、図１に示すデジタルカメラの、登録リストにない機器を登録する場合を含む一連の処理ルーチンのフローチャートである。
【００７７】
先ず、ステップＳ４１において、接続可能な機器の検索を開始してステップＳ４２に進む。ステップＳ４２では、接続可能な機器が見つかったか否かが判定される。接続可能な機器が見つからないと判定された場合は、このフローの処理を終了する。一方、接続可能な機器が見つかったと判定された場合はステップＳ４３に進む。
【００７８】
ステップＳ４３では、接続機器の情報を取得してステップＳ４４に進む。ステップＳ４４では、登録リストを読み出す。
【００７９】
次に、ステップＳ４５において、検出された機器が登録リストにあるか否かが判定される。検出された機器が登録リストにないと判定された場合は、この機器を登録するために後述するステップＳ５０に進む。一方、検出された機器が登録リストにあると判定された場合は、ステップＳ４６に進む。ステップＳ４６では、リストに登録されている機器を反転表示してステップＳ４７に進む。
【００８０】
ステップＳ４７では、全ての検出機器を確認したか否かが判定される。全ての検出機器を確認していないと判定された場合はステップＳ４５に戻る。一方、全ての検出機器を確認したと判定された場合はステップＳ４８に進む。
【００８１】
ステップＳ４８では、通信開始指示釦が押されたか否かが判定される。通信開始指示釦が押されたと判定された場合は、ステップＳ４９に進む。ステップＳ４９では、通信を開始して、このフローの処理を終了する。一方、通信開始指示釦が押されていないと判定された場合は、ステップＳ５２に進む。ステップＳ５２では、通信キャンセル指示釦が押されたか否かが判定される。通信キャンセル指示釦が押されていないと判定された場合はステップＳ４８に戻る。一方、通信キャンセル指示釦が押されたと判定された場合は、このフローの処理を終了する。
【００８２】
また、ステップＳ４５において、検出された機器が登録リストにないと判定されてステップＳ５０に進んだ場合、このステップＳ５０において、通信開始指示釦が押されたか否かが判定される。通信開始指示釦が押されていないと判定された場合はステップＳ５０を繰り返し実行する。一方、通信開始指示釦が押されたと判定された場合はステップＳ５１に進む。ステップＳ５１では、リストの登録および通信の開始を実行して、このフローの処理を終了する。
【００８３】
図９は、図１に示すデジタルカメラを構成する画像表示装置における表示態様の他の一例を示す図である。
【００８４】
図９に示すデジタルカメラ１００を構成する画像表示装置１０６には、接続可能機器一覧が表示されている。この接続可能機器一覧は、通信相手の機器として登録された２種類のプリンタを表わす文字ＬＰ−１，ＬＰ−２およびプリンタアイコンと、２種類のデジタルカメラを表わす文字ＤＣ−１，ＤＣ−２およびカメラアイコンと、携帯電話を表わす文字Ｐｈｏｎｅおよび携帯電話アイコンとから構成されている。ここでは、文字ＬＰ−２で表わされるプリンタが通信可能である。このため、画像表示装置１０６の、文字ＬＰ−２およびそのプリンタアイコンを含む表示領域１０６ｂが点滅表示されている。このように、画像表示装置１０６に様々な接続可能機器を表示して、通信したい機器の文字およびアイコンを点滅表示することによりその機器を即座に認識することができる。
【００８５】
尚、本実施形態では、本発明の撮影装置としてデジタルカメラを例示して説明したが、本発明の撮影装置はこれに限られるものではなく、カメラ機能付の携帯電話やＰＤＡ等であってもよい。
【００８６】
また、本実施形態では、本発明にいう近距離通信機能として、赤外線を用いて通信を行なう赤外線通信を適用した例で説明したが、本発明は、これに限られるものではなく、ブルートゥース規格に準拠した電波通信等の無線通信を適用することもできる。
【図面の簡単な説明】
【００８７】
【図１】本発明の撮影装置の一実施形態であるデジタルカメラの外観図である。
【図２】図１に示すデジタルカメラの内部構成を示す図である。
【図３】図１に示すデジタルカメラに装着された記録メディアに、通信相手としての機器を登録する方法の一例を説明するための図である。
【図４】図１に示すデジタルカメラを構成する画像表示装置における表示態様の一例を示す図である。
【図５】図１に示すデジタルカメラの、接続可能機器を検索してから通信を自動的に開始するまでの一連の処理ルーチンのフローチャートである。
【図６】図５に示すステップＳ４において実行される検索機器表示の処理ルーチンのフローチャートである。
【図７】図１に示すデジタルカメラの、接続可能機器を検索してから通信を通信開始指示釦で開始するまでの一連の処理ルーチンのフローチャートである。
【図８】図１に示すデジタルカメラの、登録リストにない機器を登録する場合を含む一連の処理ルーチンのフローチャートである。
【図９】図１に示すデジタルカメラを構成する画像表示装置における表示態様の他の一例を示す図である。
【符号の説明】
【００８８】
２  パーソナルコンピュータ
１００  デジタルカメラ
１０１  ズームレンズ
１０２  パワースイッチ
１０３  撮影モード・再生モード切替レバー
１０３ａ，１０３ｂ，１０７１，１０７２，１０７３，１０７４，１０７５，１０７６  スイッチ
１０４  十字キー
１０４ａ  ＵＰキー
１０４ｂ  ＤＯＷＮキー
１０４ｃ  右キー
１０４ｄ  左キー
１０５ａ  メニュー釦
１０５ｂ  バック釦
１０６，２２０  画像表示装置
１０６ａ，１０６ｂ  表示領域
１０７  モードダイヤル
１０８  レリーズ釦
１０９  閃光発光部
１０９ａ  ポップアップスイッチ
１１１  映像出力端子
１１２，２１４  ＵＳＢ接続部
１１３  直流電圧入力端子
１１４  通信開始指示釦
１１５  媒体装着部
１２１  アイリス
１２２  フォーカスレンズ
１２３，１２４，１２５  モータドライバ
１２６  ＣＣＤ
１２７  タイミングジェネレータ
１２８  ＭＰＵ
１２８ａ  ＲＯＭ
１２９  ＣＤＳＡＭＰ
１３０  Ａ／Ｄ変換部
１３１  画像入力コントローラ
１３２  画像信号処理部
１３３  圧縮処理部
１３４  ＧＰＳ位置変換部
１３５  Ｖｉｄｅｏ／ＬＣＤエンコーダ
１３６  ＡＦ検出部
１３７  ＡＥ＆ＡＷＢ検出部
１３８  ＳＤＲＡＭ
１３９  ＶＲＡＭ
１４０  メディアコントローラ
１４１  記録メディア
１４２  ＵＳＢＩ／Ｆ部
１５０  赤外線通信部
１６０  通信制御部
１７０  Ｅ2ＰＲＯＭ
２１０  本体部
２１１  ＣＤ−ＲＯＭ装填口
２１２  フレキシブルディスク装填口
２１３  電源スイッチ
２２０ａ  表示画面
２３０  キーボード
２４０  マウス
３００  ＵＳＢケーブル
３０１，３０２  ＵＳＢコネクタ
１００１  ファインダ
【図１】
2006345267.tif 000003
【図２】
2006345267.tif 000004
【図３】
2006345267.tif 000005
【図４】
2006345267.tif 000006
【図５】
2006345267.tif 000007
【図６】
2006345267.tif 000008
【図７】
2006345267.tif 000009
【図８】
2006345267.tif 000010
【図９】
2006345267.tif 000011